(57)【特許請求の範囲】
【請求項１】
生体に対して製剤を投与する薬剤投与装置を収納するキャリングケースであって、
前記薬剤投与装置を収納する凹部を有し、前記薬剤投与装置を収納するケース部と、
前記ケース部に設けられ、前記薬剤投与装置に電気的に接続可能な充電端子部を有し、前記薬剤投与装置を充電する充電装置と、
を備え、
前記充電装置の前記充電端子部は、前記凹部の上面から進退可能に突設され、
前記ケース部は、前記薬剤投与装置を前記凹部に収納した状態において前記充電装置の前記充電端子部と前記薬剤投与装置の端子受け部とが接触するように、前記ケース部に対して前記薬剤投与装置を固定するロック機構を更に有する、
キャリングケース。
【請求項２】
前記充電装置は、ＡＣアダプタが接続される接続部を有する、
請求項１に記載のキャリングケース。
【請求項３】
前記充電装置は、前記接  続部に電気的に接続されたＡＣアダプタを有する、
請求項１又は２に記載のキャリングケース。
【請求項４】
前記充電装置は、一次電池を有する、
請求項１から３のいずれか１項に記載のキャリングケース。
【請求項５】
前記充電装置は二次電池を有し、前記二次電池を充電する、
請求項１又は４に記載のキャリングケース。
【請求項６】
前記充電装置は、手動充電部又は太陽電池部を有する、
請求項１に記載のキャリングケース。
【請求項７】
前記充電装置は、前記二次電池を非接触方式で充電する、
請求項５に記載のキャリングケース。
【請求項８】
前記充電装置は、前記充電端子部に取り付けられ、前記充電端子部が前記ケース部の前記凹部の上面から突出するように付勢される弾性部材を有する、
請求項１に記載のキャリングケース。
【請求項９】
前記ケース部は、開閉可能なカバーとボトムケースとを有し、
前記充電装置は、前記カバーと前記ボトムケースの開閉動作に連動して、充電を停止し又は開始する、
請求項１に記載のキャリングケース。
【請求項１０】
表示部を更に備える、
請求項１に記載のキャリングケース。
【請求項１１】
前記表示部は、液晶、有機ＥＬまたはＬＥＤにより表示を行なう、
請求項１０に記載のキャリングケース。
【請求項１２】
前記表示部は、充電状態、データ通信状態、通電状態又はエラー内容を表示する、
請求項１０又は請求項１１に記載のキャリングケース。
【請求項１３】
前記表示部は、前記充電状態として、前記薬剤投与装置による薬剤投与の可能回数を表示する、
請求項１２に記載のキャリングケース。
【請求項１４】
音声部及び振動部の内少なくとも一つを更に備え、
音声ガイド、警報ブザー又は振動により所定の情報をユーザに通知する、
請求項１に記載のキャリングケース。
【請求項１５】
ユーザによる情報の入力を受け付ける入力部を更に備える、
請求項１に記載のキャリングケース。
【請求項１６】
前記ケース部は、開閉可能なカバーとボトムケースとを有し、
前記カバーは、透明、半透明又は切り欠きの窓部を有する、
請求項１に記載のキャリングケース。
【請求項１７】
前記ボトムケースは、前記カバーを閉じた状態において前記カバーと係合する係止機構を有する、
請求項１６に記載のキャリングケース。
【請求項１８】
前記カバーは、前記ボトムケースに収納される前記薬剤投与装置の備品を押さえる備品押さえリブを有する、
請求項１６又は１７に記載のキャリングケース。
【請求項１９】
前記カバーは、内側に、前記薬剤投与装置を保護する第１の緩衝材を有する、
請求項１６から１８のいずれか１項に記載のキャリングケース。
【請求項２０】
前記充電装置は、前記充電装置が含む電子部品を衝撃から保護する第２の緩衝材を有する、
請求項１から１９のいずれか１項に記載のキャリングケース。
【請求項２１】
前記ケース部は、インナーケースを有し、
前記ケース部と前記インナーケース間に第３の緩衝材を更に備える、
請求項１に記載のキャリングケース。
【請求項２２】
前記ケース部は、抗菌処理がなされている、
請求項１に記載のキャリングケース。
【請求項２３】
請求項１に記載のキャリングケースと、
前記キャリングケースに収納される前記薬剤投与装置と、
を備える注射器システム。
【発明の詳細な説明】
【技術分野】
【０００１】
本発明は、製剤が入った製剤シリンジを装着し、生体等に製剤を投与する薬剤投与装置のキャリングケース及びこれを備える注射器システムに関する。
【背景技術】
【０００２】
従来、所定の物品や同物品に装着する備品等を収納して持ち運ぶキャリングケースが知られている。かかるキャリングケースとして、収納部全体を緩衝材で覆ったものや、その緩衝材を第１の緩衝材と第２の緩衝材とに使い分けたものが実用化されている。
【０００３】
図３０は従来のキャリングケースの一例を示す。図３０（ａ）はキャリングケース１０１の上面図を示し、図３０（ｂ）はその側面図を示す。同図に示すように、キャリングケース１０１は、ケース部１０２と、物品１０６を収納する物品保持部１０５と蓋（図示せず）とを備えている。また、ケース部１０２の内側には、第１の緩衝材１０３及び第２の緩衝材１０４が設けられ、物品１０６を衝撃から守っている（例えば、特許文献１参照）。
【０００４】
このような構成のキャリングケース１０１によると、物品１０６に加わる衝撃を緩和することができる。
【先行技術文献】
【特許文献】
【０００５】
【特許文献１】特許第３０１０７８７号明細書
【発明の概要】
【発明が解決しようとする課題】
【０００６】
しかしながら、上記従来のキャリングケース１０１では、物品が電力を必要とする電子機器や精密機器等である場合には、その機器を充電する充電装置（充電器）を別途携帯する必要がある。したがって、ユーザは、充電装置用の収納スペースを別途確保する必要があり、時には、充電装置を携帯することを忘れてしまうおそれがある。
【０００７】
また、キャリングケース１０１にはその他の備品を収納するスペースが十分なく、温度管理が必要な予備製剤は収納できないため、利便性を欠く。
本発明の目的は、ユーザが容易且つ安全に薬剤投与装置を使用できることを可能にするキャリングケース及び注射器システムを提供することにある。
【課題を解決するための手段】
【０００８】
第１の発明に係るキャリングケースは、生体に対して製剤を投与する薬剤投与装置のキャリングケースであって、ケース部と、充電装置と、を備える。ケース部は、薬剤投与装置を収納する。充電装置は、ケース部に設けられ、薬剤投与装置に電気的に接続可能な充電端子部を有し、薬剤投与装置を充電する。
【０００９】
ここでは、薬剤投与装置を収納するキャリングケースにおいて、ユーザが充電装置を別途携帯する手間を省くことができるように、以下のような構成を採用している。
当該キャリングケースは、ケース部を備え、同ケース部には薬剤投与装置を充電するための充電装置が固定して設けられている。この充電装置は、薬剤投与装置に電気的に接続可能である充電端子部を有している。
【００１０】
ここで、薬剤投与装置とは、例えば、製剤が入っているシリンジを収納し、その製剤を自動で生体に注射することができる電子機器である。ケース部とは、当該キャリングケースの外郭を形成するものであって、例えば、蝶番又はヒンジによって連結された開閉可能なボトムケースとカバーとを有するものを用いることができる。電気的に接続可能であるとは、電力を供給することが可能な状態であり、導電性の部材同士で接続している状態や、或いは、誘導起電力等を利用した非接触な状態（非接触充電方式による）であってもよい。充電装置とは、例えば、充電用の供電回路を有し、この供電回路に電力を供給するための一次電池及び／又はＡＣアダプタ等を含むもの、又は、ＡＣアダプタを接続するためのジャックを含むもの等である。
【００１１】
従来、携帯用の電子機器（携帯電子機器）等を収納するためのキャリングケースには、衝撃を吸収するための緩衝材等が内包されている。しかしながら、その電子機器に電力を供給するための充電装置は、そのユーザが別途持ち運ぶ必要がある。したがって、ユーザは、充電装置用の収納スペースを確保する必要があり、時には、充電装置を携帯することを忘れてしまうおそれがある。
【００１２】
そこで、本発明のキャリングケースは、ケース部に充電装置を備えている。
このような構成により、薬剤投与装置とこの薬剤投与装置の電力を充電する際に必要な充電装置とを、当該キャリングケースに固定された状態で携帯することができる。したがって、充電装置と薬剤投与装置とを１つのキャリングケースで持ち運ぶことが可能になる。
【００１３】
この結果、ユーザが、キャリングケース内に充電装置を収納するためのスペースを確保したり、別途、充電装置を持ち運んだりする手間を省くことが可能になる。したがって、ユーザが、充電装置の携帯を忘れて、外出時等に充電ができなくなることを防止することが可能になる。
【００１４】
第２の発明に係るキャリングケースは、第１の発明に係るキャリングケースであって、充電装置は、ＡＣアダプタが接続される接続部を有する。
ここで、接続部は、例えば、差込式のジャックや、充電装置に含まれる回路基板に設けられた接続部等であってもよい。
【００１５】
これにより、外部からＡＣアダプタを接続すること、或いは、充電装置と電気的に接続されたＡＣアダプタを当該キャリングケース内に有することが可能になる。
この結果、充電装置は、ＡＣアダプタを介して商用電源から電力を受け取ることが可能になる。
【００１６】
第３の発明に係るキャリングケースは、第２の発明に係るキャリングケースであって、充電装置がＡＣアダプタを有する。ＡＣアダプタは、接続部に電気的に接続されている。
ここでは、充電装置がＡＣアダプタを有する。
【００１７】
ここで、ＡＣアダプタは、このＡＣアダプタのプラグ部分がケース部の外部に突出している、或いは、スライド機構等を用いることによって突出可能に設けられていることが好ましい。
【００１８】
これにより、ＡＣアダプタを予め当該キャリングケース内に備えることができる。このため、ＡＣアダプタを別途持ち運ぶ手間等を省くことができる。
この結果、ユーザがＡＣアダプタの携帯を忘れることを防止することが可能になる。
【００１９】
第４の発明に係るキャリングケースは、第１から第３の発明のいずれか１つに係るキャリングケースであって、充電装置が一次電池を有する。
ここでは、充電装置が薬剤投与装置の電力を充電するための一次電池を有する。
【００２０】
ここで、一次電池とは、それ自体で電力を供給することができる電池である。
これにより、外部からの電力供給を受けることなく、一次電池から充電用の電力を薬剤投与装置に供給することが可能になる。したがって、商用電源の無い場所や移動中であっても薬剤投与装置を充電することができる。また、ＡＣアダプタと一次電池とを場合によって使い分けるようにすることも可能になる。
【００２１】
この結果、一般的に普及している一次電池を利用した使い勝手の良い充電機能を有したキャリングケースを提供することが可能になる。
【００２２】
第５の発明に係るキャリングケースは、第１又は第４の発明に係るキャリングケースであって、充電装置は二次電池を有し、二次電池を充電する。
【００２３】
これにより、より確実に薬剤投与装置に電力を供給することが可能となる。
【００２４】
第６の発明に係るキャリングケースは、第１の発明に係るキャリングケースであって、充電装置は、手動充電部又は太陽電池部を有する。
【００２５】
これにより、より確実に薬剤投与装置に電力を供給することが可能となる。
【００２６】
第７の発明に係るキャリングケースは、第５の発明に係るキャリングケースであって、充電装置は、薬剤投与装置又は二次電池を非接触方式で充電する。
【００２７】
これにより、より簡単に薬剤投与装置に電力を供給することが可能となる。
【００２８】
第８の発明に係るキャリング装置は、第１から第７の発明のいずれか１つに係るキャリングケースであって、ケース部は、薬剤投与装置を収納する凹部を有する。充電装置の充電端子部は、凹部の上面から進退可能に突設されている。
【００２９】
ここでは、充電端子部が薬剤投与装置を収納する凹部の上面から突出して設けられている。
これにより、薬剤投与装置をケース部の凹部に載置（収納）した状態で薬剤投与装置の端子受け部を充電端子部に電気的に接続させることが可能になる。したがって、薬剤投与装置を収納したままの状態で充電することができる。ここで、薬剤投与装置の端子受け部とは、充電端子部が電気的に接続される部分であって、薬剤投与装置内に搭載されている二次電池（バッテリー）に電気的に接続されている。
【００３０】
この結果、薬剤投与装置を収納しつつ容易に充電することが可能なキャリングケースを提供することが可能になる。
【００３１】
第９の発明に係るキャリングケースは、第８の発明に係るキャリングケースであって、充電装置は、充電端子部に取り付けられ、充電端子部がケース部の凹部の上面から突出するように付勢される弾性部材を有する。
【００３２】
ここで、弾性部材は、例えば、スプリングバネ等の金属製バネや、ゴム・ウレタン等の樹脂製のバネ、その他弾性を備えた素材からなる部材を用いることができる。
これにより、薬剤投与装置の端子受け部と充電装置の充電端子部との接触において、薬剤投与装置とケース部及び充電装置との寸法ばらつきを吸収することができる。したがって、薬剤投与装置がケース部の凹部に載置された状態において、充電端子部と端子受け部とを確実に接触させることが可能になる。
【００３３】
この結果、接触不良による充電ミスを防止し、使用時に電力が不足する等の不具合を回避することが可能になる。
【００３４】
第１０の発明に係るキャリングケースは、第１の発明に係るキャリングケースであって、ケース部は、開閉可能なカバーとボトムケースとを有し、充電装置は、カバーとボトムケースの開閉動作に連動して、充電を停止し又は開始する。
【００３５】
ここでは、ケース部の開閉動作に連動して充電を停止、開始することが可能であるため、ユーザが意識することなく自動的に充電動作を実行することができる。
【００３６】
第１１の発明に係るキャリングケースは、第１の発明に係るキャリングケースであって、表示部を更に備える。
【００３７】
これにより、キャリングケースの利便性を向上させることができる。
【００３８】
第１２の発明に係るキャリングケースは、第１１の発明に係るキャリングケースであって、表示部は、液晶、有機ＥＬまたはＬＥＤにより表示を行なう。
【００３９】
第１３の発明に係るキャリングケースは、第１１又は第１２の発明に係るキャリングケースであって、表示部は、充電状態、データ通信状態、通電状態又はエラー内容を表示する。
【００４０】
第１４の発明に係るキャリングケースは、第１３の発明に係るキャリングケースであって、表示部は、充電状態として、薬剤投与装置による薬剤投与の可能回数を表示する。
【００４１】
第１５の発明に係るキャリングケースは、第１の発明に係るキャリングケースであって、音声部及び振動部の内少なくとも一つを更に備え、音声ガイド、警報ブザー又は振動により所定の情報をユーザに通知する。
【００４２】
ここで、所定の情報とは、キャリングケースの現在の状態（充電状態、通信状態、通電状態等）、警告、注意等（例えば、薬剤投与装置について薬剤の投与量に基づき、残り何回注射できるか等）である。音声部は、ブザー、サウンダー、スピーカ等でユーザに所定の情報を通知する。振動部は、バイブレータ等によりキャリングケースに振動を発生させ、所定の情報をユーザに知らせる。
【００４３】
これにより、目や耳の不自由なユーザにも情報を通知することができ、キャリングケースの利便性及び安全性を向上させることができる。
【００４４】
第１６の発明に係るキャリングケースは、第１の発明に係るキャリングケースであって、ユーザによる情報の入力を受け付ける入力部を更に備える。
【００４５】
ここで、入力部はキャリングケースに内蔵されているもの、外付けのものいいずれであってもよい。
【００４６】
第１７の発明に係るキャリングケースは、第１発明に係るキャリングケースであって、ケース部は、ロック機構を更に有する。このロック機構は、充電装置の充電端子部と薬剤投与装置の端子受け部とが接触するように、ケース部に対して薬剤投与装置を固定する。
【００４７】
ここでは、ロック機構によって充電装置に薬剤投与装置を固定する。
ここで、ロック機構は、例えば、薬剤投与装置の一部に係り合うことによって充電装置と薬剤投与装置とを固定する係止部材を用いることができる。また、充電端子が凹部に突出して設けられている場合は、薬剤投与装置を凹部に固定するようにロック機構が設けられていることが好ましい。
【００４８】
これにより、薬剤投与装置を充電装置に確実に固定することができる。また、充電端子部が凹部に突出して設けられている場合は、薬剤投与装置を凹部に固定しつつ充電装置に確実に接触固定させることが可能になる。
【００４９】
この結果、振動や衝撃によって薬剤投与装置が充電装置から外れることを防止することができる。したがって、薬剤投与装置を確実に充電することが可能になる。
【００５０】
第１８の発明に係るキャリングケースは、第１発明に係るキャリングケースであって、ケース部は、開閉可能なカバーとボトムケースとを有し、カバーは、透明、半透明又は切り欠きの窓部を有する。
【００５１】
ここでは、当該キャリングケースがカバーとボトムケースとに分けて構成されており、カバーには、薬剤投与装置が収容されているか否かを確認するための窓部が設けられている。
【００５２】
ここで、カバーとボトムケースとは、例えば、蝶番等で連結されていることが好ましい。窓部は、例えば、透明なプラスチックやガラス等を用いることができる。
これにより、ユーザは、窓部から内部を視認することができる。したがって、薬剤投与装置が当該キャリングケース内に収納されているか否かを容易に確認することが可能になる。
【００５３】
この結果、薬剤投与装置の入れ忘れ等を防止することができる。
【００５４】
第１９の発明に係るキャリングケースは、第１８の発明に係るキャリングケースであって、ボトムケースは、係止機構を有する。この係止機構は、カバーを閉じた状態においてカバーと係合する。
【００５５】
ここで、係止機構とは、例えば、スライド機構を含むスライドノブ等であることが好ましい。
これにより、カバーとボトムケースとの開閉を制御することが可能になる。したがって、不測に当該キャリングケースが開いてしまうことを防ぐことができる。
【００５６】
この結果、ユーザが安心して持ち運ぶことができるキャリングケースを提供することが可能になる。
【００５７】
第２０の発明に係るキャリングケースは、第１８又は第１９の発明に係るキャリングケースであって、カバーが備品押さえリブを有する。この備品押さえリブは、ボトムケースに収納される薬剤投与装置の備品を押さえる。
【００５８】
ここでは、薬剤投与装置に必要な備品を抑える備品押さえリブがカバーに設けられている。
ここで、備品とは、薬剤投与装置に用いられる針や予備の製剤シリンジ等であって、ボトムケースには、上記備品を収納する備品収納部が設けられていることが好ましい。
【００５９】
これにより、カバーを閉じた状態において備品を押さえることができる。したがって、備品が当該キャリングケース内で散乱することを防止することができる。
この結果、従来よりも使い勝手の良いキャリングケースを提供することが可能になる。
【００６０】
第２１の発明に係るキャリングケースは、第１８から第２０の発明のいずれか１つに係るキャリングケースであって、カバーが、内側に、薬剤投与装置を保護する第１の緩衝材を有する。
【００６１】
ここで、緩衝材は、衝撃を吸収する材料を含むものであって、例えば、ゴム製であってもよい。
これにより、当該キャリングケースを閉じた状態において、薬剤投与装置がカバーの内側に衝突した場合においても、その衝撃を緩和することが可能になる。
【００６２】
この結果、薬剤投与装置の破損を防止することができるキャリングケースを提供することができる。
【００６３】
第２２の発明に係るキャリングケースは、第１から第２１の発明のいずれか１つに係るキャリングケースであって、充電装置は、この充電装置が含む電子部品を衝撃から保護する第２の緩衝材を有する。
【００６４】
これにより、充電装置に含まれる一次電池や供電回路等を衝撃から保護することが可能になる。
【００６５】
第２３の発明に係るキャリングケースは、生体に対して製剤を投与する薬剤投与装置を収納するキャリングケースであって、薬剤投与装置を収納するケース部と、ケース部内の温度を調整する温度調整部と、を備える。温度調整部は、冷却を実行する冷却実行部と、冷気をケース部内に送る冷却ファンと、冷却実行部を制御する冷却制御部と、を有する、
ここでは、キャリングケースが温度調整部を有し、冷却を制御、実行し、冷気をケース内部に送ることにより、温度管理が必要な製剤をキャリングケースで携帯することが可能となる。これにより、キャリングケースの安全性及び利便性を向上させることができる。
【００６６】
第２４の発明に係るキャリングケースは、第２３の発明に係るキャリングケースであって、ケース部は更に、一つ以上の温度センサを備え、温度調整部の冷却制御部は、温度センサの測定値に基づいて冷却実行部を制御する。
【００６７】
ここでは、冷却制御部は、例えば、温度センサの温度データと予め設定されている冷却設定温度との差を求め、その温度差に対応した冷却レベル（急冷、強、中、弱等）を制御してケース部内部の温度調整を行う。
【００６８】
これにより、キャリングケース内部の温度調整を自動的に行うことができる。
【００６９】
第２５の発明に係るキャリングケースは、第２３の発明に係るキャリングケースであって、ケース部に設けられ、薬剤投与装置に電気的に接続可能な充電端子部を有し、薬剤投与装置を充電する充電装置を更に備える。更に温度調整部は、充電装置により供給される電力により動作する。
【００７０】
これにより、充電装置からの電力供給により温度調整部を動作させることができるため、キャリングケース内部の温度調整を安定的に行うことが可能である。
【００７１】
第２６の発明に係るキャリングケースは、第２３の発明に係るキャリングケースであって、ケース部は、開閉可能なカバーとボトムケースとを有し、温度調整部は、カバーとボトムケースの開閉動作に連動して、冷却を停止し又は開始する。
【００７２】
ここでは、ケース部の開閉動作に連動して冷却動作を停止、開始することが可能であるため、ユーザが意識することなく自動的にキャリングケースの内部を冷却制御することができる。
【００７３】
第２７の発明に係るキャリングケースは、第２３の発明に係るキャリングケースであって、ケース部は、断熱性又は密閉性のある材料からなる。
これにより、キャリングケース内部の冷却効果を高めることができる。
【００７４】
第２８の発明に係るキャリングケースは、第２３の発明に係るキャリングケースであって、ケース部は、外側表面にシール部材が付加されてなる。
これにより、キャリングケース内部の冷却効果を高めることができる。
【００７５】
第２９の発明に係るキャリングケースは、第２３の発明に係るキャリングケースであって、ケース部の内部の温度状態を表示する表示部を更に備える。
これにより、ユーザはキャリングケース内部の温度状態を把握することができる。
【００７６】
第３０の発明に係るキャリングケースは、生体に対して製剤を投与する薬剤投与装置を収納するキャリングケースであって、薬剤投与装置を収納するケース部を備える。ケース部は、薬剤投与装置に必要な備品を収納する一つ以上の備品収納部を有する。
【００７７】
ここでは、キャリングケースに備品を収納する収納部を設けることによって、キャリングケースの安全性及び利便性を向上させることができる。
【００７８】
第３１の発明に係るキャリングケースは、第３０の発明に係るキャリングケースであって、備品収納部は、薬剤投与装置用の針、製剤シリンジ、消毒用部材、使用済針、針用の保護キャップ、採血用の穿刺器具、穿刺器具用の針、血糖値を測定する血糖計、前記血糖計で使用するセンサ及び前記センサを収納するセンサボトルの内、一つ以上を収納する。
【００７９】
第３２の発明に係るキャリングケースは、第３０の発明に係るキャリングケースであって、ケース部は更に、針用の保護キャップを載置する備品載置部を有する。
ここで、保護キャップを載置する備品載置部とは、例えば薬剤投与装置用の未使用針を保護キャップから外し、同針を薬剤投与装置に装着して薬剤投与装置を使用している間に、保護キャップを仮置きするための部分である。そして、使用後の針を保護キャップに装着して廃棄する。
【００８０】
これにより、ユーザはより安全に使用後の針を廃棄できる。
【００８１】
第３３の発明に係るキャリングケースは、第３０の発明に係るキャリングケースであって、ケース部は更に、製剤シリンジの端部に挿入して製剤シリンジ内の製剤を混合させる混合部を有する。
【００８２】
ここでは、製剤シリンジの端部に混合部を挿入することにより製剤シリンジ内の製剤を混合させることができる。これにより、ユーザは安全且つ容易に製剤シリンジを使用することができる。
【００８３】
第３４の発明に係るキャリングケースは、第１、第２３及び第３０の発明のいずれか１つに係るキャリングケースであって、ケース部は、インナーケースを有し、ケース部とインナーケース間に第３の緩衝材を更に備える。
【００８４】
ここで、インナーケースとは、薬剤投与装置をケース部内で位置決めし、薬剤投与装置とケース部との衝突を防止するためのものである。
これにより、当該キャリングケースが衝突したりや落下したりした場合等におけるインナーケースに対する衝撃を緩和することが可能になる。したがって、インナーケース内に収納されている薬剤投与装置や備品及びインナーケースに連結している充電装置等を衝撃から保護することができる。
【００８５】
この結果、充電装置や薬剤投与装置等の精密機器や製剤シリンジ等のガラス製品等を破損させずに持ち運ぶことが可能になる。
【００８６】
第３５の発明に係るキャリングケースは、第１、第２３及び第３０の発明のいずれか１つに係るキャリングケースであって、ケース部は、抗菌処理がなされている。
【００８７】
これにより、キャリングケースにおいても、血液等の付着物が表面に付着することを防止するため、衛生的であり、安全性を向上させることができる。
【００８８】
第３６の発明に係る注射器システムは、第１、第２３及び第３０の発明のいずれか１つに係るキャリングケースと、キャリングケースに収納される薬剤投与装置と、を備える。
【００８９】
これにより、薬剤投与装置を容易かつ確実に携帯することが可能な注射器システムを提供することが可能になる。
【発明の効果】
【００９０】
本発明のキャリングケース及び注射器システムによれば、薬剤投与装置の容易且つ安全な使用を保証することができる。
【発明を実施するための形態】
【００９１】
＜１  第１実施形態＞
図１から図４は、本発明の第１実施形態に係るキャリングケース１と薬剤投与装置２１とを備える注射器システム５０を示す。
【００９２】
＜１．１  キャリングケース１＞
キャリングケース１は、図１に示すように、主に、ボトムケース２（ケース部）と、ボトムインナーケース３（インナーケース）と、カバー（ケース部）２０と、充電装置３ａ（図３）と、を備えている。なお、図１においてはカバー２０の形態は一部省略して示されているが、ボトムケース２と同様の輪郭を有する。
【００９３】
＜１．１．１  カバー２０＞
カバー２０は、ボトムケース２とともにキャリングケース１の外郭を形成するものであって、図１に示すように、支軸保持部２０ａ、支軸２０ｂと、備品押さえリブ２０ｃと、薬剤投与装置２１を保護する緩衝材（第１の緩衝材）２０ｄと、窓部２０ｅと、を備えている。
【００９４】
支軸保持部２０ａは、ボトムケース２との連結部分に設けられており、内部に支軸２０ｂを圧入するための孔を有している。
支軸２０ｂは、支軸保持部２０ａの上記孔に保持されており、ボトムケース２の支軸挿入部２ａに挿入されている。これにより、カバー２０とボトムケース２とが開閉可能になる。
【００９５】
支軸保持部２０ａ及び支軸２０ｂによってヒンジが構成される。
備品押さえリブ２０ｃは、カバー２０の内側に設けられている。備品押さえリブ２０ｃは、キャリングケース１が閉じられている状態において、薬剤投与装置２１の各備品を押圧固定する。これにより、各備品のキャリングケース１内における散乱を防止する。
【００９６】
なお、備品とは、例えば、未使用針２３、予備製剤を格納する製剤シリンジ又は注射器（以下、製剤シリンジと呼ぶ。）、使用済針、針用の保護キャップ、血糖値を測定する血糖計、同血糖計で使用するセンサ、そのセンサを収納するセンサボトル、消毒部材、その他採血用の穿刺器具及び穿刺器具用の針等である。
【００９７】
緩衝材２０ｄは、カバー２０の内側に設けられており、キャリングケース１が閉じられている状態において薬剤投与装置２１を押圧固定する。これにより、落下や振動、衝突等による衝撃を緩和し、薬剤投与装置２１を保護することが可能になる。
【００９８】
窓部２０ｅは、キャリングケース１が閉じられている状態において、収納される薬剤投与装置２１を外部から視認可能な位置に設けられており、透明又は半透明なプラスチック又はガラス、或いは切り欠きを用いて形成されている。これにより、ユーザは、キャリングケース１内に薬剤投与装置２１が入っているか否かを、キャリングケース１を開けることなく確認することができる。
【００９９】
＜１．１．２  ボトムケース２＞
ボトムケース２は、上述のように、カバー２０とともにキャリングケース１の外郭を形成するものであって、図１及び図２に示すように、緩衝材４と、他の緩衝材１４（図３（ａ）参照）と、支軸挿入部２ａと、スライドノブ（係止機構）２５と、を備えている。また、ボトムケース２は、底面側が平面になっており、キャリングケース１をテーブル等に置いたときに安定するようになっている。
【０１００】
緩衝材４は、図３(ａ)に示すように、ボトムケース２の内側の輪郭に沿って、ボトムケース２とボトムインナーケース３との間に配されている。これにより、ボトムケース２に加わる外部からの衝撃を緩和し、ボトムインナーケース３及びボトムインナーケース３に収納されている物品を保護することが可能になる。
【０１０１】
緩衝材１４は、ボトムケース２とビス１６を囲むカラー１５との間に設けられている。ビス１６は、ボトムケース２とボトムインナーケース３とを連結固定する。なお、ビス１６は、弾力性のある樹脂製のものが好ましい。また、カラー１５は、管形状の部材であって、ビス１６の周囲に設けられている。これらにより、緩衝材４と同様に、ボトムインナーケース３及びその内部に収納されている物品を保護することが可能になる。
【０１０２】
支軸挿入部２ａは、ボトムケース２とカバー２０との連結部分に設けられており、上述のように、支軸２０ｂが内部に挿入されており、軸受の役割を果たしている。
スライドノブ２５は、キャリングケース１の側面に設けられている。スライドノブ２５は、そのスライド部分をスライドさせることによって、キャリングケース１が閉じている状態においてカバー２０の係合部分（図示しない）に係り合う。これにより、ボトムケース２とカバー２０とがロックされ、キャリングケース１が不要に開いてしまうことを防ぐことができる。
【０１０３】
＜１．１．３  ボトムインナーケース３＞
ボトムインナーケース３は、物品の収納位置を規制する。ボトムインナーケース３は、図２に示すように、ボトムケース２の内側に緩衝材４を介して設けられている。ボトムインナーケース３は、ビス１６によってボトムケース２に連結固定されている。また、ボトムインナーケース３は、本体収納部（凹部）６と、備品収納部５と、を備えている。
【０１０４】
本体収納部６は、薬剤投与装置２１を収納するための凹部であって、薬剤投与装置２１の略半分が嵌め込まれるような形状を有している。
備品収納部５は、図１に示すように、針収納部３０と、製剤収納部３１と、針用の保護キャップ載置部（備品載置部）２２と、を有する。針収納部３０は、薬剤投与装置２１に装着して薬液を注入するための未使用針２３を収納する部分であって、未使用針２３の形状に対応する凹み形状をなしている。なお、未使用針２３は保護キャップが取り付けられている。製剤収納部３１は、薬液が入った予備の製剤シリンジ２４を収納する部分であって、予備の製剤シリンジ２４の形状に対応する凹み形状をなしている。保護キャップ載置部２２は、例えば未使用針を保護キャップから外し、同針を薬剤投与装置２１に装着して薬剤投与装置２１を使用している間に、保護キャップを仮置きするための凹部である。
【０１０５】
＜１．１．４  充電装置３ａ＞
充電装置３ａは、図３（ａ）および図３（ｂ）に示すように、薬剤投与装置２１の電力を充電するものであって、ボトムインナーケース３とボトムケース２との間に組み込まれている。充電装置３ａは、充電部１７と、供電回路プリント基板１３と、ＬＥＤ（光源部）１０と、ロックアーム（ロック機構）７，８と、ＡＣアダプタ１２と、緩衝材（第２の緩衝材）１９と、を有している。
【０１０６】
充電部１７は、充電時において薬剤投与装置２１の端子受け部３９と電気的に接続される部分であって、充電端子９と、充電端子スプリング（弾性部材）９ａと、を有している。
【０１０７】
充電端子９は、薬剤投与装置２１の充電用の接続部である端子受け部３９に電気的に接続される。充電端子９は、一端部側がボトムインナーケース３を貫通し、本体収納部６の表面より突出して設けられている。すなわち、薬剤投与装置２１が本体収納部６に収納されている状態において、充電端子９は、薬剤投与装置２１の端子受け部３９が充電端子９の一端部に接触するように形成されている。また、充電端子９は、供電回路プリント基板１３と電気的に接続されている。
【０１０８】
充電端子スプリング９ａは、充電端子９を本体収納部６内に突出させる方向に付勢するものであって、充電端子９の上記一端部とは反対側の端部に連結している。薬剤投与装置２１が本体収納部６に収納されるとき、充電端子９は薬剤投与装置２１の端子受け部３９に接触した状態で本体収納部６内に突出しなくなるまで充電端子スプリング９ａの付勢に抗して押される。これにより、薬剤投与装置２１の端子受け部３９と充電端子９との接触が確実になり、充電ミスを回避することが可能になる。
【０１０９】
供電回路プリント基板１３は、充電端子９やＬＥＤ１０等に送電するためにＡＣアダプタ１２から送られてきた電力を調整する。供電回路プリント基板１３は、ボトムケース２とボトムインナーケース３との間に固定されている。本実施形態においては、供電回路プリント基板１３は、図３（ｂ）に示すように、ビス１８によって固定されている。また、供電回路プリント基板１３は、ＡＣアダプタ１２、充電端子９及びＬＥＤ１０に対して電気的に接続されている。また、供電回路プリント基板１３は、図４に示すようにＡＣアダプタ１２との接続部１３ａを有する。なお、この接続部１３ａとＡＣアダプタ１２とは、着脱可能なものであってもよい。
【０１１０】
ロックアーム７，８は、薬剤投与装置２１をキャリングケース１に装着したとき、充電装置３ａに対して薬剤投与装置２１を固定する。
ＡＣアダプタ１２は、商用電源（交流電源、ＡＣ１００Ｖ）から交流（ＡＣ）電力を受け取り直流（ＤＣ）電力に変換するためのものであって、プラグ１１を有している。プラグ１１は、コンセントにＡＣアダプタ１２を接続するためのものであって、ボトムケース２の外部に突出させることができるように設けられている。具体的には、プラグ１１は、ボトムケース２から突出するように固定されて設置されていてもよいし、スライド方式や回動方式を採用することによってボトムケース２の内側に収納されるものであってもよい。
【０１１１】
また、ＡＣアダプタ１２とボトムケース２との間には、隙間２ｂが設けられている。これにより、落下や衝突等による衝撃が加わり、ボトムケース２に対しボトムインナーケース３が変位した場合においても、ＡＣアダプタ１２とボトムケース２とが接触して両者に負荷がかかることを回避することが可能になる。
【０１１２】
ＬＥＤ１０は、充電装置３ａが充電可能であるか否かをユーザに対して示すものであって、図１に示すように、ボトムケース２にはめ込まれている。ＬＥＤ１０は、供電回路プリント基板１３に電気的に接続されている。そして、充電装置３ａが充電可能な状態、すなわち本実施形態においては、プラグ１１がコンセントに差し込まれており、供電回路プリント基板１３等に異常（故障）が無い状態である場合に、ＬＥＤ１０が発光（点灯）する。なお、ＬＥＤ１０は、ボトムケース２の内部に設けられていてもよく、この場合には、導光板等を用いてＬＥＤ１０から発せられた光をボトムケース２の外部まで導くような構成であればよい。すなわち、キャリングケース１の外側からユーザがＬＥＤ１０の光を視認可能であればよい。
【０１１３】
図３(ａ)に示すように、ロックアーム７，８は、薬剤投与装置２１を本体収納部６に着脱可能に固定して充電端子９に端子受け部３９を確実に接触させる。ロックアーム７，８は、図２及び図３（ａ）に示すように、ボトムインナーケース３の本体収納部６の側面部分に設けられている。ロックアーム７，８は、ボトムインナーケース３に固定されている支点を軸に回動可能に固定されており、かつ、バネによって薬剤投与装置２１の窪みに係合するように動作する。これにより、薬剤投与装置２１をキャリングケース１内において安定して固定することができる。
【０１１４】
緩衝材１９は、供電回路プリント基板１３やＡＣアダプタ１２の周囲に設けられており、キャリングケース１の落下や衝突等による衝撃を吸収する。これにより、供電回路プリント基板１３やＡＣアダプタ１２等の電子部品を保護することが可能になる。
【０１１５】
＜１．２  薬剤投与装置２１＞
薬剤投与装置２１は、製剤シリンジから生体に薬剤を投与するための装置である。図４に示すように、薬剤投与装置２１は、主に、メイン動作部２１ｂ、二次電池２９及び充電回路４０を備えている。
【０１１６】
充電回路４０は、キャリングケース１の充電装置３ａを介して受け取った電力を二次電池２９に送るために調整するための回路であって、端子受け部３９と電気的に接続されている。充電回路４０はまた、マイコン３４により制御される。
【０１１７】
二次電池２９は、薬剤投与装置２１を動作させるための電力が充電されるバッテリであって、充電回路４０と電気的に接続されている。
メイン動作部２１ｂは、表示部３２、入力部３３、マイコン３４、駆動部３５、メモリ３６及びセンサ３７を有する。
【０１１８】
表示部３２は、液晶ディスプレイ等であり、後述する製剤シリンジ内のエア抜き操作や二次電池２９の充電残量等の各種の必要な情報やメッセージを表示する。
入力部３３は、薬剤投与装置２１の電源のＯＮ／ＯＦＦを切り替えるボタン、製剤シリンジ内のエア抜きを行なうためのボタン、エア抜き動作を行なった後や各種表示の確認等の、必要な操作を完了した時に次のステップに進むこと承認するボタン等を含む。
【０１１９】
マイコン３４は、薬剤投与装置２１全体の動作制御を行う。
駆動部３５は、注射針を通して製剤を生体内へ注入するために、ピストンを変位させてシリンジ内の製剤を押し出す。
【０１２０】
メモリ３６は、マイコン３４において用いられる各種データを格納している。
センサ３７は、ＡＣアダプタ１２が電源に接続されているか否かを感知する。
また、キャリングケース１には、薬剤投与装置２１の備品として、未使用針２３と、予備の製剤シリンジ２４と、が収納されている。
【０１２１】
＜１．３  第１実施形態の特徴＞
本実施形態のキャリングケース１は、図１から図４に示すように、生体に対して製剤を投与する薬剤投与装置２１のキャリングケース１であって、カバー２０及びボトムケース２（ケース部）と、ボトムインナーケース３と、充電装置３ａと、を備える。ケース部は、開閉可能である。ボトムインナーケース３は、ケース部の内側に固定されており、薬剤投与装置２１を収納する。充電装置３ａは、ボトムインナーケース３に固定されており、薬剤投与装置２１に電気的に接続可能な充電端子９を有し、薬剤投与装置２１を充電する。
【０１２２】
このような構成により、薬剤投与装置２１と充電装置３ａとを、キャリングケース１に固定された状態で携帯することができる。したがって、充電装置３ａと薬剤投与装置２１とを１つのキャリングケース１で持ち運ぶことが可能になる。
【０１２３】
この結果、ユーザが、キャリングケース１内に充電装置を収納するためのスペースを確保したり、別途、充電装置３ａを持ち運んだりする手間を省くことが可能になる。したがって、ユーザが、充電装置３ａの携帯を忘れて、外出時等に充電ができなくなることを防止することが可能になる。
【０１２４】
＜１．４  第１実施形態の変形例＞
（Ａ）
上記第１実施形態では、ＡＣアダプタ１２がキャリングケース１内に備えられている例を挙げて説明した。しかし、本実施形態はこれに限定されるものではない。
【０１２５】
例えば、図５および図６に示すように、ＡＣアダプタ１２は、外部装着品であってもよい。つまり、キャリングケース１は、ＡＣアダプタ１２を着脱可能なものとして備える。具体的には、キャリングケース１は、ジャック（接続部）２８を備えている。また、ＡＣアダプタ１２は、コード２６、ＤＣプラグ２６ａおよびプラグ１１を有している。そして、ジャック２８には、ＡＣアダプタ１２のＤＣプラグ２６ａが着脱可能に接続される。
【０１２６】
このような構成により、充電が必要なときにのみ、ＡＣアダプタ１２をジャック２８に接続して薬剤投与装置２１を充電することができる。したがって、ユーザは、ＡＣアダプタ１２を必要に応じて携帯すればよい。
【０１２７】
この結果、ＡＣアダプタ１２を外した状態で持ち運ぶことができ、キャリングケース１のコンパクト化が可能になる。
（Ｂ）
上記第１実施形態では、キャリングケース１の充電装置３ａがＡＣアダプタ１２を備え、電源供給源として商用電源を用いる例を挙げて説明した。しかし、本実施形態はこれに限定されるものではない。
【０１２８】
例えば、キャリングケース１の充電装置３ａは、図７および図８に示すように、ＡＣアダプタを備えず、一次電池２７を備えるものであってもよい。ここで、一次電池２７は、複数個備えられていてもよい。また、一次電池２７は、アルカリ電池やマンガン電池等を用いることができる。また更に、一次電池２７は、交換可能なものであることが好ましい。
【０１２９】
これにより、一次電池２７からＤＣ電力を供電回路プリント基板１３に供給し、充電端子９経由で薬剤投与装置２１の二次電池２９を充電することができる。
つまり、キャリングケース１は、ＡＣアダプタを搭載していないため軽量化が可能になる。また、ＡＣアダプタを外部装着品として携帯する手間を省くことが可能になる。したがって、携帯性に優れたキャリングケースを提供することができる。
【０１３０】
（Ｃ）
更に、上記第１実施形態による別の変形例としては、例えば、キャリングケース１の充電装置３ａは、図９および図１０に示すように、一次電池２７とＡＣアダプタ１２との両方を備えるものであってもよい。この場合、供電回路プリント基板１３は、一次電池２７からの電力供給とＡＣアダプタ１２からの電力供給とを切り替えるための切替制御部を有している。また、充電装置３ａは、ＡＣアダプタ１２が商用電源等の電源に接続されているか否かを検知するセンサ３７を有している。したがって、充電装置３ａは、センサ３７からの出力に基づいて上記切替制御部が電力の供給源を切り替えて電力を供給するものであってもよい。
【０１３１】
ここで、一次電池２７は、複数個備えられていてもよい。また、一次電池２７は、アルカリ電池やマンガン電池を用いることができる。
これにより、ＡＣアダプタ１２を携帯している場合等は、ＡＣアダプタ１２を接続して薬剤投与装置２１を充電することができ、一方、ＡＣアダプタを携帯していない場合等は、一次電池２７を用いて充電することができる。
【０１３２】
この結果、ユーザが置かれた状況によって電力の供給源を選択することが可能になる。したがって、従来よりもユーザにとって使い勝手のよいキャリングケースを提供することが可能になる。
【０１３３】
（Ｄ）
上記第１実施形態では、キャリングケース１がＬＥＤ１０を備える例を挙げて説明した。しかし、本実施形態はこれに限定されるものではない。
【０１３４】
例えば、キャリングケース１は、ＬＥＤ１０の代わりにランプや他の光源を備えるものであってもよい。
これによっても、上記実施形態と同様の効果を奏することが可能である。
【０１３５】
（Ｅ）
上記第１実施形態では、キャリングケース１は、充電端子スプリング９ａを備える例を挙げて説明した。しかし、本実施形態はこれに限定されるものではない。
【０１３６】
例えば、キャリングケース１は、充電端子スプリング９ａ以外の弾性部材を用いるものであってもよい。すなわち、弾性部材は、充電端子９を本体収納部６から突出する方向に向けて付勢することができるものであればよい。
【０１３７】
これによっても、上記実施形態と同様の効果を奏することが可能になる。
（Ｆ）
キャリングケース１は、巾着袋等に入れて携帯したり、ストラップを付けて携帯したりしてもよい。巾着袋等には緩衝材を付けておくと、より確実に衝撃を和らげることができる。
【０１３８】
（Ｇ）
キャリングケース１は、重心位置が開閉の中心に当たるヒンジ（２０ａ及び２０ｂ）側から離れた位置になるように設計する。また、ボトムケース２とカバー２０の重量バランスをボトムケース２側が重くなるように設計する。これによりカバー２０を開くときにキャリングケース１が浮いたり、傾いたりせず、安定する。
【０１３９】
＜２  第２実施形態＞
図１１は、本発明の第２実施形態に係るキャリングケース２０１と薬剤投与装置２１とを備える注射器システム２５０を示す。
【０１４０】
第２実施形態に係るキャリングケース２０１は、カバー２２０の開閉を検知する開閉検知部２５５を備え、カバー２２０の開閉に連動して充電を停止又は開始する機能を有する点において特徴がある。
【０１４１】
なお、キャリングケース２０１は、第１実施形態と同様に、ボトムケース２０２と、ボトムインナーケース２０３と、カバー２２０とを備えている。以下において第１実施形態と同様の構成については説明を省略する。
【０１４２】
＜２．１  開閉検知部＞
カバー２２０の開閉を検知する開閉検知部２５５は、図１２（ａ）に示すように、ボトムインナーケース２０３に設けられた検知センサ部２５７を有する。検知センサ部２５７は、例えば、反射型フォトセンサや透過型フォトセンサである。もちろん、近接センサやメカ式のスイッチでも検知は可能である。カバー２２０に設けられたロックプレート２５６により、カバー２２０が閉じられるとき又は開けられるときに、開閉検知部２５５の内部の検知センサ部２５７が光の反射や透過を検知する。これにより、カバー２２０の開閉が判定される。
【０１４３】
検知センサ部２５７は、第１実施形態と同様に設けられた充電装置の供電回路プリント基板（図示省略）と電気的に接続されている。供電回路プリント基板は、検知センサ部２５７の開閉検知の信号を入力し、その信号変化に応じて、充電の停止及び開始を行う。具体的には、カバー２２０が開かれたときに充電を停止し、閉じられたときに充電を開始する等である。
【０１４４】
＜２．２  その他＞
＜２．２．１＞
本実施形態に係るキャリングケース２０１は、第１実施形態と同様に針用の保護キャップ載置部２２２を有する。保護キャップ載置部２２２は次のように使用する。
【０１４５】
図１２（ｂ）に示すように、薬剤投与装置２１に未使用針を装着するとともに、針用の保護キャップ２３ａを保護キャップ載置部２２２に置いておく。薬剤投与装置２１の使用後、薬剤投与装置２１から取り外した先端キャップ２１ａを、保護キャップ載置部２２２上の保護キャップ２３ａに上から押し当てる。この結果、先端キャップ２１ａに取り付けられた使用済みの針２３ｂが保護キャップ２３ａに装着される。その後、使用済みの針２３ｂを保護キャップ２３ａごと廃棄する。
【０１４６】
これにより、使用済みの針２３ｂを露出せずに薬剤投与装置２１から安全に取り外すことができるとともに、特に手の不自由なユーザによっても安全且つ簡単に針の処理ができる。
【０１４７】
＜２．２．２＞
本実施形態に係るキャリングケース２０１は、ボトムインナーケース２０３に収納された製剤シリンジ２４を固定しつつ保護するため、カバー２２０の内側略中央部に、カバー２２０に製剤押さえリブ２５１，２５２を有する。
【０１４８】
図１３は、キャリングケース２０１が閉じられた状態のときの製剤押さえリブ２５１，２５２の断面図を示す。製剤押さえリブ２５１はボトムインナーケース２０３との間に間隙Ｂを形成し、製剤押さえリブ２５２は製剤シリンジ２４との間に間隙Ａを形成する。間隙Ａは間隙Ｂよりも大きく形成されている。この状態でカバー２２０を更に上から押されても、製剤押さえリブ２５２と製剤シリンジ２４との間の間隙Ａは残るため、製剤には負荷がかからない。
【０１４９】
なお、図１１の符号２５３は、備品押さえを示し、キャリングケース２０１が閉じられた状態のとき、未使用針２３等を入れている針収納部３０（図１参照）を押さえる。
＜２．２．３＞
本実施形態に係るキャリングケース２０１は、第１実施形態と同様に、窓部２２０ｅを備えている。窓部２２０ｅは、キャリングケース１が閉じられている状態において、収納される薬剤投与装置２１を外部から視認可能な位置に設けられており、透明又は半透明なプラスチック又はガラスを用いるか、或いは切り欠きにより形成されている。更にこの窓部２２０ｅを介して薬剤投与装置２１のＬＥＤや表示部３２が確認できる。
【０１５０】
＜２．２．４＞
本実施形態に係るキャリングケース２０１は、ボトムインナーケース２０３の製剤シリンジ２４を収納する部分に、製剤取り出し用の拡大凹部２５９を設けスペースを形成している。この拡大凹部２５９を設けることで、指で収納部より製剤シリンジ２４が取り出し易くなる。更に、製剤シリンジの針の装着側とは反対側に拡大凹部２５９が配置されるように製剤シリンジを収納することにより、製剤シリンジを取り出して針を装着する時も針を装着する側を触らないため、針及び製剤シリンジの針を装着する部分に汚れが付着することを防止する。
【０１５１】
＜２．２．５＞
本実施形態に係るキャリングケース２０１では、薬剤投与装置２１に保護キャップを装着した状態で収納可能なように、図１１に示すように、ボトムインナーケース２０３に、凹部２５８を形成している。これは、薬剤投与装置２１に製剤シリンジ２４と、製剤シリンジ２４に装着した注入用の針２３と、針のカバーである保護キャップ２３ａとを装着したままでキャリングケース２０１に収納する場合、先端キャップ２１ａよりも保護キャップ２３ａが張り出すため、その部分に対応して凹部２５８を設けたものである。これにより、投与時に製剤シリンジ２４、保護キャップ２３ａ付きの針の装填の手間が省略でき、操作性を向上できる。
【０１５２】
＜２．３  第２実施形態の特徴＞
本実施形態のキャリングケース２０１は、上記第１実施形態の特徴に加え、カバー２２０の開閉を検知する開閉検知部２５５を備え、その開閉動作に応じて充電の停止及び開始を行うことにより、効率よく充電を行うことができる。
【０１５３】
本実施形態のキャリングケース２０１は、また、保護キャップ載置部２２２、製剤押さえリブ２５１，２５２、窓部２２０ｅ、製剤取り出し用の拡大凹部２５９、凹部２５８等を設けることにより、安全性及び利便性に優れた薬剤投与装置２１用のキャリングケースを実現することができる。
【０１５４】
＜３  第３実施形態＞
図１４は、本発明の第３実施形態に係るキャリングケース３０１のボトムケース３０２の平面図である。
【０１５５】
第３実施形態に係るキャリングケース３０１は、２材混合部３０５ｅが設けられていることに主な特徴がある。
なお、以下において第１実施形態と同様の構成については説明を省略する。
【０１５６】
＜３．１  収納部＞
ボトムインナーケース３０３は、手動式薬剤投与器具収納部３０５ａと、血糖計収納部３０５ｂと、穿刺器具収納部３０５ｃと、穿刺器具針収納部３０５ｄと、２材混合部３０５ｅと、消毒用脱脂綿収納部３０５ｆと、血糖値センサ/血糖値センサボトル収納部３０５ｇと、電池のスペア収納部３０５ｈと、電源コード収納部３６０と、を備える。
【０１５７】
手動式薬剤投与器具収納部３０５ａは、例えば本発明の薬剤投与装置２１（図１）とは異なる手動式で簡易型の薬剤投与器具(図示せず)を収納する。穿刺器具収納部３０５ｃは、血糖値を測定するために穿刺する器具を収納する。穿刺器具用針収納部３０５ｄは、血糖値を測定するために穿刺する器具用の針を収納する。２材混合部３０５ｅは、後述するように突き出し部を有し、初期状態で２材に分離しているシリンジ内の製剤を混合させる。消毒用脱脂綿収納部３０５ｆは、注射や穿刺する部位を消毒する消毒用脱脂綿を収納する。血糖値センサ/血糖値センサボトル収納部３０５ｇは、血糖計に装着し血糖値を測定するセンサやそのセンサを収納したボトルを収納する。電池のスペア収納部３０５ｈは、薬剤投与装置２１の交換用電池（二次電池）や血糖計用の交換用電池(１次電池)等を収納する。電源コード収納部３６０は、ＡＣコード等を収納する。
【０１５８】
上記のように、第３実施形態は、血糖値等の測定から、製剤の投与までの一連の操作の全てを実施できるようにした統合型のキャリングケースである。一体にまとめることで、
備品を忘れる等のミスが防げるとともに、このキャリングケースの中を確認すれば、どの備品が不足しているかすぐに判る。よって、個々の備品の忘れや漏れも防ぐことが出来る。
【０１５９】
＜３．２  ２材混合部＞
図１５は、図３（ａ）と同様のボトムケース３０２の一部断面図であり、２材混合部３０５ｅを側面から示した図である。図１６（ａ）から（ｃ）は、２材混合部３０５ｅの動作を示す図である。製剤シリンジ２４は、針部２４ａと、薬剤（固体）２４ｂと、固体収納部２４ｃと、液体収納部２４ｄと、ゴム部Ｒ１、Ｒ２と、流路部２４ｅとを有する。
【０１６０】
図１６（ａ）が示す初期状態においては、製剤シリンジ２４内には、固体の薬剤２４ｂが固体収納部２４ｃに収納されており、液体収納部２４ｄ内の液体とはゴムＲ１で分離されている。製剤シリンジ２４を使用するためには、図１６（ｂ）に示すように、製剤シリンジ２４の下端を２材混合部３０５ｅに押し込む(図１６（ａ）において、下方向）。これにより、２材混合部３０５ｅが製剤シリンジ２４下端近くのゴムＲ２を押し、その結果液体収納部２４ｄ内の液体が上方に押され、更にゴムＲ１も上方へ押されて移動する。更にゴムＲ２及びＲ１が上方に押されて、流路部２４ｅの設けられている位置まで達すると、液体収納部２４ｄの液体が流路部２４ｅを通って固体収納部２４ｃに流れ込む。この結果、固体収納部２４ｃ内に収納されている固体の薬剤２４ｂが溶け始め、薬剤の混合が開始する。次いで、図１６（ｃ）に示すように、２材混合部３０５ｅに対し製剤シリンジ２４を更に押込むと、ゴムＲ２とゴムＲ１とが接触して一体で移動する。
【０１６１】
以上のように、製剤シリンジ２４を２材混合部の底面まで押し込みことによって、固体の薬剤２４ｂは全部溶解され、２材の混合が完了する。
＜３．３  第３実施形態の特徴＞
本実施形態のキャリングケース３０１は、上記第１及び第２実施形態の特徴に加え、２材混合部３０５ｅを備えることによって、製剤シリンジ２４内のインシュリン等を混合することを容易に行うことができる。
【０１６２】
＜４  第４実施形態＞
図１７は、本発明の第４実施形態に係るキャリングケース４０１の電気部４０１Ｅと薬剤投与装置２１の電気部２１Ｅの構成例を示す。なお、本実施形態による電気部４０１Ｅ及び２１Ｅは、上記第１から第３実施形態に係るキャリングケース１，２０１，３０１に対してもその一部又は全部が適用可能である。
【０１６３】
＜４．１  電気部２１Ｅ＞
薬剤投与装置２１の電気部２１Ｅは、メイン回路２１０と、二次電池２１１と、充電回路２１２とを備える。電気部２１Ｅには、後述するキャリングケース４０１を介して電気が供給される。
【０１６４】
二次電池２１１は、充電可能な電池であり、ニッケル水素やリチウムイオン電池等がある。充電回路２１２は、二次電池を充電するための回路である。メイン回路２１０は、二次電池２１１より電力が供給されて作動し、マイコン２１３、入力装置２１４、メモリ２１５、駆動装置２１６、センサ２１７、通信部２１８、充電用端子２１９及び表示装置２２１を有する。
【０１６５】
マイコン２１３は、書き込まれたＦ／Ｗ(=ファームウェア・ソフト)に従って薬剤投与装置２１本体を制御する。入力装置２１４は、薬剤投与装置２１の本体側で、投与量を変更したり、投与動作をさせたりする場合に使用する。メモリ２１５は、設定された薬剤の投与量、過去の投与量、薬剤の投与回数及び投与時間等を記憶する。駆動装置２１６は主に、モータ及びモータドライバで構成されており、モータを回転させピストンを前後させ薬剤を投与する。駆動装置２１６はまた、薬剤投与装置２１の刺針・抜針動作も行う。センサ２１７は、モータに直結させたパルス板（エンコーダという）をカウントし、刺針・抜針時の動作の移動距離を制御するのに使用する。通信部２１８は、充電装置を介して有線、もしくは無線でキャリングケース４０１と通信を行い、投与量の設定、本体メモリに保存された過去の薬剤の投与、現在の電池残量等を送信する。有線方式の通信では、ＵＳＢ等が使用される。また、無線方式では、ブルートゥースや無線ＬＡＮ等がある。充電用端子２１９は、キャリングケース４０１の充電装置４０３ａの充電用端子４０９と、有線(例えば、接触式であるコネクタ方式)、或いは無線(例えば、渦電流方式)で、電気的に接続し充電用の電力を供給する際に使用する。表示装置２２１は、液晶ディスプレイ等であって、ユーザに分かるように現在の状態、警告、注意等を表示する。
【０１６６】
＜４．２  電気部４０１Ｅ＞
キャリングケース４０１の電気部４０１Ｅは、メイン回路４０１０と、第１供電回路４０１１と、第２供電回路４０１２と、切替回路４０１３と、一次電池４０１４と、二次電池４０１５と、太陽発電部４０１６と、手動発電部４０１７とを有する。
【０１６７】
電気部４０１Ｅには、プラグ４１１及びＡＣアダプタ４１２を介して商用電源より電気が供給される。ＡＣアダプタは、家庭用１００Ｖ等のＡＣ電力をＤＣ電源に変換する装置である。プラグ４１１は、家庭用電源（例えば、ＡＣ１００Ｖ）に接続するプラグである。
【０１６８】
電気部４０１Ｅはまた、記憶装置６１、パソコン６２及び入力装置６３等の外部機器が接続されている。記憶装置６１は、ＵＳＢメモリ、ＳＤメモリ等に情報を保存する。パソコン６２は、薬剤の投与量等を通信にて受け取り、保存し、及びユーザにとって分かりやすくデータを加工したりする演算に使用する。入力装置は、ＵＳＢキーボード等であり、外部から直接データを入力する場合に用いる。
【０１６９】
第１供電回路４０１１は、薬剤投与装置２１側に対する電力の供給を制御する回路である。第２供電回路４０１２は、充電回路４０１８に対する電力の供給を制御する回路である。切替回路４０１３は、切替回路４０１３に接続された4つの電源（一次電池４０１４、太陽発電部４０１６、手動発電部４０１７及び商用電源）のうち、いずれかの電源に切り替える回路である。なお、必ずしも４つの電源が必要なわけでなく、４つ以上であっても未満であってもよい。また、搭載する電源が１つだけの場合は、この切替回路は無くてもよい。
【０１７０】
一次電池４０１４は、使い捨て電池で、アルカリ電池等である。二次電池４０１５は、充電可能な電池であり、ニッケル水素やリチウムイオン電池等である。なお、キャリングケース４０１に二次電池４０１５を装着しておくことで、外部からの商用電源の供給が無くても、後述するように、キャリングケース４０１に備えた入力装置６３を操作すること、通信動作を行なうこと等、充電以外の操作が可能である。
【０１７１】
太陽発電部４０１６は、太陽電池等を使用した太陽の光を電気に変換するユニットで、二次電池の充電等に電力を供給する。また、手動発電部４０１７は、外部の力を電気に変換するユニットで、例えば手でレバーを回転させることで発電させ、二次電池の充電等に使用される。
【０１７２】
上記第１供電回路４０１１、第２供電回路４０１２、切替回路４０１３、一次電池４０１４、二次電池４０１５、太陽発電部４０１６及び手動発電部４０１７は充電装置４０３ａに含まれる。
【０１７３】
メイン回路４０１０は、マイコン４０２０、メモリ４０２１、フタ開閉検出ＳＷ４０２２、第１通信部４０２４、第２通信部４０２５、表示部４０２６、入力部４０２７、音声部４０２８、及び振動部４０２９を有する。
【０１７４】
マイコン４０２０は、キャリングケース４０１における充電機能や通信機能等を制御する。メモリ４０２１は、キャリングケース４０１内部に設けられ、設定された薬剤の投与量、過去の投与量等を記憶する。開閉検出ＳＷ（スイッチ）４０２２は、キャリングケース４０１の開閉を検知し、キャリングケース４０１の蓋であるカバーを開いた時には、第１供電回路４０１１を遮断し、薬剤投与装置２１本体に電気を通電させず充電をさせない。また、カバーを閉じた時には、自動で二次電池４０１５の充電やメモリ２１５、４０２１間のデータ通信を開始させることもできる。
【０１７５】
第１通信部４０２４は、薬剤投与装置２１本体と通信する回路である。第２通信部４０２５は、有線（ＵＳＢ・ＬＡＮ等）、或いは無線(Ｂｌｕｅｔｏｏｔｈや無線ＬＡＮ等)により外部機器と通信が可能である。外部機器とは、入力装置６３やパソコン６２等である。
【０１７６】
表示部４０２６は、ユーザに分かるように現在の状態、警告、注意等を表示する。なお、表示内容の詳細に関しては、後述する。入力部４０２７は、ボタン等である。なお、入力部４０２７は外部装置として接続されたものでもよく、その場合はテンキー(数字キー)や英数字を含むキーボード等であってもよい。薬剤投与装置２１の薬剤投与量設定のデータやモード切替、選択等を第２通信部４０２５に接続した入力装置６３を使用して行う。この場合、入力装置６３は、キャリングケース４０１に一体的に設けられていても、外部に別体として設けてもよい。また、表示部４０２６にメニューキーを表示させて、入力可能にしてもよい。
【０１７７】
もちろん、無線通信で血糖計と通信を行い、血糖値を受信後自動で計算することも可能である。また、血糖測定データをキャリングケース４０１内蔵のメモリに一時的に保存しておき、薬剤投与装置２１とキャリングケース４０１とを接続するときに、第１通信部４０２４から薬剤投与装置２１にそのデータを送信し、薬剤投与装置２１側で薬剤の投与量を自動的に計算することも可能である。
【０１７８】
音声部４０２８は、ブザー、サウンダー、スピーカ等でユーザに音で現在の状態、警告、注意等（例えば、薬剤投与装置２１について薬剤の投与量に基づき、残り何回注射できるか等）をアナウンスする。
【０１７９】
振動部４０２９は、バイブレータ等によりキャリングケース４０１に振動を発生させ、警告、注意等をユーザに知らせる。
＜４．３  第４実施形態の特徴＞
本実施形態のキャリングケース４０１は、上記第１から第３実施形態の特徴に加え、キャリングケース４０１と薬剤投与装置２１との間で充電や通信を行うことによって、利便性及び安全性に優れたキャリングケースを実現することができる。
【０１８０】
＜５  第５実施形態＞
以下においては、本発明の充電機能付きキャリングケースにおけるユーザインターフェースの側面について説明する。なお、キャリングケース４０１を例にして説明する。
【０１８１】
＜５．１．表示機能＞
＜５．１．１  充電状態の表示＞
図１８（ａ）は、キャリングケース４０１の充電状態に関する、キャリングケース４０１に設けられた表示部４０２６であるＬＥＤの動作パターンを示す。なお、ＬＥＤは、単色ＬＥＤまたは複色ＬＥＤを使用し、点滅周期は1秒程度である。
【０１８２】
図１８（ｂ）は、キャリングケース４０１の充電状態に関する、キャリングケース４０１に設けられた表示部４０２６であるＬＣＤの表示パターンを示す。なお、通常操作時、すなわちキャリングケース４０１が充電中でないとき（非充電時）は、操作画面の適切な場所に電池残量が表示されるが、充電中、充電完了時を表示するときは、電池残量は表示されない。
【０１８３】
なお、ＬＥＤ及びＬＣＤによる表示は、いずれか一方のみであってもよい。また、ＬＣＤには、キャリングケース４０１の充電状態として、電池残量に応じた、薬剤投与装置２１による薬剤投与の可能回数を表示するようにしてもよい。
【０１８４】
＜５．１．２  通信状態の表示＞
図１８（ｃ）は、キャリングケース４０１の通信状態に関する、キャリングケース４０１に設けられた表示部４０２６であるＬＥＤの動作パターンを示す。なお、キャリングケース４０１の通信状態とは、キャリングケース４０１と接続機器（例えば、パソコンやＳＤカード等）との通信状態である。同図の「未接続」とは接続機器とは接続していない状態、「接続時」とは接続機器と接続している状態、「通信時」とは接続機器と接続し且つ通信している状態である。
【０１８５】
図１８（ｄ）は、キャリングケース４０１の通信状態に関する、キャリングケース４０１に設けられた表示部４０２６であるＬＣＤの表示パターンを示す。
なお、ＬＥＤ及びＬＣＤによる表示は、いずれか一方のみであってもよい。
【０１８６】
＜５．１．３  通電の表示＞
キャリングケース４０１がＡＣアダプタと接続中である場合（通電中）は、充電用ＬＥＤとは別の通電用ＬＥＤを点灯させる。なお、ＬＥＤが通電状態と充電状態との双方に関して動作する場合は、ＬＥＤの色を異なったものにする。例えば、「通電中」の場合は緑色に点灯させ、「充電中」の場合は赤色に点滅させ、「充電完了」の場合は赤色で点灯させる。
【０１８７】
また、通電中の場合、ＬＣＤは、例えば、「通電中」の文字表示や「ＡＣライン」の絵表示を行う。
なお、ＬＥＤ及びＬＣＤによる表示は、いずれか一方のみであってもよい。
【０１８８】
＜５．２．音声ガイド機能＞
上記表示機能に加えて或いは上記表示機能に代えて、キャリングケース４０１の音声部４０２８（図１７）が音声ガイドにより、「充電中」及び「充電完了」を通知してもよい。
【０１８９】
音声部４０２８はまた、通信状態について、接続機器との「接続時」、「通信時」及び「通信完了」を音声ガイドにより通知してもよい。
音声部４０２８はまた、警告通知を行ってもよい。例えば、何らかの異常により充電が開始できない場合に「充電ができません」、薬剤投与装置２１をセットしたとき充電不足状態を検出した場合に「充電不足状態です」、薬剤投与装置２１が正しくセットされていない場合「本体を正しくセットしてください」等と音声ガイドを行う。
【０１９０】
音声部４０２８は更に、薬剤の投与時期の通知を行ってもよい。例えば、予めカレンダやタイマにより薬剤の投与予定時間や血糖値測定時間を設定しておき、これらの時間を知らせる。
【０１９１】
＜５．３．警報機能＞
上記表示機能及び上記音声ガイド機能に加えて或いは上記表示機能に代えて、キャリングケース４０１はブザーやバイブレーションによる警報機能を有していてもよい。
【０１９２】
音声部４０２８（図１７）は、ブザーにより「充電中」や「充電完了」を通知してもよい。この場合、「充電中」と「充電完了」とでブザー音を異ならせる。
振動部４０２９（図１７）は、バイブレーションにより「充電中」や「充電完了」を通知してもよい。この場合、「充電中」と「充電完了」とで振動パターンを異ならせる。
【０１９３】
なお、「充電完了」のブザー音又はバイブレーションを、「充電中」のブザー音又はバイブレーションよりもユーザにとって認知しやすいものにしておくのが好ましい。
＜５．４．ロック機能＞
キャリングケース４０１は、他人が誤って使用しないようにロック機能を設けてもよい。例えば、電磁式ロック機能、暗証ロック機能、認証ロック機能等である。
【０１９４】
電磁式ロック機能は、電磁石を用いてキャリングケース４０１を施錠し、ロックする。
また、電磁石の反発力で開錠することにより、ロック解除する。
暗証ロック機能は、パスワード及び暗証番号（数字）を予め登録しておき、キャリングケース４０１をロックする。また、パスワード及び暗証番号を入力することによりロック解除する。
【０１９５】
認証ロック機能は、ユーザの指紋認証、声紋認証データを予め登録しておき、キャリングケース４０１をロックする。また、ロック解除時は、ユーザの指紋または声紋を登録データと照合し、認証することで、ロック解除する。
【０１９６】
＜５．５．  第５実施形態の特徴＞
本実施形態のキャリングケース４０１は、上記第１から第４実施形態の特徴に加え、
表示部４０２６、音声部４０２８及び振動部４０２９によりキャリングケース４０１及び薬剤投与装置２１の現在の状態、ユーザへの警告や注意等を行うことにより、安全性及び利便性に優れたキャリングケースを実現できる。
【０１９７】
＜６  第６実施形態＞
図１９は、本発明の第６実施形態に係るキャリングケース６０１と薬剤投与装置２１とを備える注射器システム６５０を示す。
【０１９８】
第６実施形態に係るキャリングケース６０１は、製剤を保管するための温度を維持する恒温機能を有する点において特徴がある。薬剤投与装置２１で投与する製剤には、インスリン等の冷所保存薬も少なくない。そのような製剤に対して、通常は冷蔵庫等に保管しておき、使用する際にその冷所保存しておいた製剤(シリンジ)を持ち出し、薬剤投与装置に装填して、製剤を投与する。また、外出時においては、別途小型のクールボックスに氷等を入れておき、その中に製剤を保管しておく必要があり、非常に面倒である。そこで、本実施形態においては、キャリングケースに恒温機能(保冷機能等）を搭載することで、利便性を向上させる。
【０１９９】
キャリングケース６０１は、第１実施形態と同様に、ボトムケース６０２と、ボトムインナーケース６０３と、カバー６２０とを備えている。キャリングケース６０１は更に、第２実施形態と同様に、製剤押さえリブ６５１，６５２を有する。図１３に示すように、製剤押さえリブ６５１は、ボトムインナーケース６０３との間に間隙Ｂを形成し、製剤押さえリブ６５２は製剤シリンジ２４との間に間隙Ａを形成する。間隙Ａは間隙Ｂよりも大きく形成されている。この状態でカバー６２０を更に上から押されても、製剤押さえリブ６５２と製剤シリンジ２４との間の間隙Ａは残るため、製剤には負荷がかからない。
【０２００】
符号６５３は、備品押さえを示し、キャリングケース６０１が閉じられた状態のとき製剤シリンジ２４を押さえる。
なお、以下において第１及び第２実施形態と同様の構成については説明を省略する。
【０２０１】
＜６．１  恒温機能＞
＜６．１．１  構成＞
以下、本実施形態に係るキャリングケース６０１の恒温機能を実行するための構成について説明する。
【０２０２】
キャリングケース６０１は、電源入力部６７０と、シール部材６７２と、温度センサ６７１と、冷却状態表示用ＬＥＤ６７３と、冷却部（温度調整部）６７４と、ロックプレート６７６と、ロックプレート係合部６７５と、を有する。
【０２０３】
電源入力部６７０は、外部からＤＣ電源またはＡＣ電源を入力する。入力された電力は、薬剤投与装置２１の充電に使用する他、冷却部６７４による製剤シリンジ２４の製剤冷却に使用する。
【０２０４】
温度センサ６７１は、サーミスタ等からなり、製剤を収納した製剤シリンジ２４が収納されるキャリングケース６０１内の温度を測定する。温度センサ６７１は、製剤の温度が重要であるので、製剤シリンジの近傍に配置しておく。また、温度センサ６７１は1つに限らず、複数設けても良い。例えば、２つの温度センサを製剤シリンジ２４の近くに配置して、お互いの温度センサの温度データを比較監視することで、信頼性を向上させることも可能である。更に、キャリングケース６０１の外側面にも温度センサを配置し、内部温度センサと外部温度センサの二つの温度データに基づいて、冷却部６７４の制御による冷却レベルを調整することもできる。
【０２０５】
シール部材６７２は、キャリングケース６０１を密閉する。冷却状態表示用ＬＥＤ６７３は、キャリングケース６０１内の冷却状態を複数色により示す。
冷却部６７４は、製剤シリンジ２４を冷やすためのユニットであり、通常ペルチェ素子等を活用して冷却する冷却実行部、冷気を送る冷却ファン、温度センサ６７１の温度測定データを参照しながら適切な温度になるように冷却実行部を制御する冷却制御部等を有する。
【０２０６】
ロックプレート６７６及びロックプレート係合部６７５は、キャリングケース６０１のカバー６２０を閉じると係合する。このカバー６２０の開閉は、第２実施形態の開閉検知部２５５（図１２（ａ）参照）と同様の構成により、図示せぬ開閉検知部により検知される。つまりロックプレート係合部６７５に、第２実施形態の検知センサ部２５７に相当する検知部を設けることにより、第２実施形態と同様にカバー６２０の開閉を検知できる。この開閉検知部からの信号により冷却部６７４が作動或いは停止する。
【０２０７】
好ましくは、カバー６２０、ボトムケース６０２及びボトムインナーケース６０３は、断熱性や密閉性の高い材料で構成するか、シール部材を表面に付加する表面処理等を行なう等して、恒温機能を高める。また、カバー６２０外周に密閉性の高いシリコンやウレタン等のゴム材料を別途形成してもよい。
【０２０８】
＜６．１．２  動作＞
電源入力部６７０を介して外部から電源が接続供給されている場合は、キャリングケース６０１内の温度を温度センサ６７１により確認しながら、キャリングケース６０１内を冷却部により一定温度で冷却しておく。また、キャリングケース６０１を携帯する場合は、断熱材等で構成されたキャリングケース６０１内は一定期間保温(この場合、保冷）されることになる。更に、車で移動時の場合も、カーバッテリーを活用して冷却できるようにカーバッテリーアダプタを用いてもよい。これにより、よりユーザの行動範囲は広がり、日常生活における快適性を向上できる。
【０２０９】
また、キャリングケース６０１のロックプレート６７６及びロックプレート係合部６７５は、カバー６２０が閉まったことを検知して、その検知により自動的に冷却部を起動する。この時、冷却部６７４の冷却制御部は、温度センサ６７１の温度データと予め設定されている冷却設定温度との差を求め、その温度差に対応した冷却レベル（急冷、強、中、弱等）を制御して製剤シリンジ２４の冷却を行なってもよい。一方、カバー６２０が開いたことを検知した場合は、その検知により冷却部６７４を停止したり、カバーが開いたことをブザー等で通知することも出来る。
【０２１０】
＜６．１．３  冷却状態通知機能＞
冷却状態表示用ＬＥＤ６７３は、現在のキャリングケース６０１内部の温度状態を示す。例えば、次のような表示パターンが可能である。
【０２１１】
（１）緑色ＬＥＤ点灯：冷却中または所定の温度に保たれている状態(冷却状態）を示す (電源入力部に外部から電源が供給されている状態）。
（２）黄色ＬＥＤ点灯：保冷状態を示す (電源入力部に外部から電源は供給されていない）。この場合、ユーザは必要な所定の温度範囲にあると判断できる。なお、黄色ＬＥＤは、緑色と赤色を同時点灯することにより実現している。
【０２１２】
（３）赤色ＬＥＤ点灯：所定の温度を越えており、外部からの電源を供給し、冷却を必要としている状態を示す。
（４）赤色ＬＥＤ点滅：所定の温度を越えている時間が一定以上継続しおり、製剤が化学変化している可能性があり、製剤の状態を確認する必要あることを示す。
【０２１３】
上記のＬＥＤによる警告表示は、キャリングケース６０１内の温度だけでなく、キャリングケース６０１の外側部分に追加した温度センサにより測定したキャリングケース外部の温度データに基づいて、警告タイミングを調整してもよい。例えば、外部温度と内部温度の差が１０℃の場合と、温度差が２０℃の場合とでは警告のタイミングを異ならせる。具体的には、温度差が２０℃以上の場合には、温度差が１０℃の場合よりも早めに警告を通知する(早めに赤色を点灯する）。また温度差によって上記必要な所定の温度範囲を自動的に可変させて、ユーザに通知するようにしてもよい。
【０２１４】
なお、冷却状態表示用ＬＥＤ６７３による警告に加えて又は冷却状態表示用ＬＥＤ６７３による警告に代えて、キャリングケース６０１のＬＣＤ等の表示部や音声部（図１７）等を使用して、警告を行ってもよい。
【０２１５】
＜６．２  第６実施形態の特徴＞
本実施形態のキャリングケース６０１は、上記第１から第５実施形態の特徴に加え、キャリングケース６０１が冷却部６７４を備えることにより、ユーザは予備製剤を安心して持ち運ぶことができ、利便性及び安全性に優れたキャリングケースを実現することができる。
【０２１６】
また、本実施形態のキャリングケース６０１は、ＬＥＤやＬＣＤ等の表示部や音声部によりキャリングケース６０１内部の温度状態をユーザに通知することにより、製剤をより的確に管理でき、安全性を向上させることができる。
【０２１７】
＜７    その他の実施形態＞
以上、本発明の実施形態について説明したが、本発明は上記実施形態に限定されるものではなく、発明の要旨を逸脱しない範囲で種々の変更が可能である。例えば、上記第１から第６実施形態の全部または一部の構成を組み合わせたキャリングケースも本発明の範囲内である。
【０２１８】
以下では、上記実施形態以外の形態について説明するが、上記実施形態と同様の部分の説明は省略する。
＜７．１  抗菌処理＞
上記実施形態のキャリングケースのカバー、ボトムケースの表面（外側及び内側の双方を含む）は、抗菌処理が施されていてもよい。
【０２１９】
抗菌処理は、まな板や包丁等の台所用品等に良く使用されるようになってきており、通常、表面をコーティングする抗菌印刷による方法が用いられている。それ以外にも抗菌剤を熱固形化する方法を用いることができる。
【０２２０】
このような抗菌処理を施すことにより、血液等の付着物による汚染の防止及び付着後の拭取りの簡便さも向上する。
また、上記の抗菌処理に加えて、キャリングケースのカバーの開閉部分は、液体等の付着物が、そのキャリングケース内部に入り込まないように段差を設けたり、液体の逃がし部分を設けたり、または二重構造にしたりしてもよい。これにより、キャリングケースにおいても、血液等の付着物が表面に付着することを防止すると共に、キャリングケース内部にも血液等が入らないため、衛生的且つ安全性を向上させている。
【０２２１】
＜７．２  キャリングケースの形態例＞
図２０から図２９は、本発明に係るキャリングケースの形態例を示す。
＜７．２．１  形態例１＞
図２０は、水平置きタイプのキャリングケースの一形態例を示す。図２０（ａ）は、キャリングケース７０１の上面、同（ｂ）及び（ｃ）はキャリングケース７０１の横側面及び縦側面をそれぞれ示す。キャリングケース７０１は、カバー及び備品収納部を備えない。ボトムケース７０２は、上面側から見ると括れ部７８１を有し、同括れ部７８１の部分には、図２０（ｂ）に示すように凹部７８２が形成されている。このような形状により、ユーザがボトムケース７０２に薬剤投与装置２１を収納し又は取り出すことを容易にしている。
【０２２２】
図２０（ｂ）に示すように、キャリングケース７０１は、ボトムケース７０２に薬剤投与装置２１を載置する。このとき、ボトムケース７０２の両端に設けられたロックアーム７０７、７０８が薬剤投与装置２１の両端部に係合する。これにより、薬剤投与装置２１をボトムケース７０２に固定し、充電装置７０３ａの充電端子部と薬剤投与装置２１の端子受け部とを確実に接触させる。
【０２２３】
キャリングケース７０１はまた、図２０（ａ）に示すようにボトムケース７０２の上面に設けられたＬＥＤ７１０とボトムケース７０２の内部に設けられた充電装置７０３ａとを有する。ＬＥＤ７１０及び充電装置７０３ａは上記第１から第６実施形態と同様の構成及び機能を有する。
【０２２４】
ボトムケース７０２は更に、図２０(ｂ)及び（ｃ）に示すように、両端部が山形に形成された保護部７８３、７８４を有し、これにより薬剤投与装置２１の先端部や、後端部にある電源ボタン２１ｃが外部に露出しないように保護される。
【０２２５】
＜７．２．２  形態例２＞
図２１は、水平置きタイプのキャリングケースの他の形態例を示す。図２１（ａ）は、キャリングケース８０１の上面、同（ｂ）及び（ｃ）はキャリングケース８０１の横側面及び縦側面をそれぞれ示す。キャリングケース８０１は、備品収納部を備えず、カバーではなく透明又は半透明の先端保護部８８５を備える。
【０２２６】
図２１（ｂ）に示すように、キャリングケース８０１は、ボトムケース８０２に薬剤投与装置２１を載置する。このとき、薬剤投与装置２１の先端部を先端保護部８８５に挿入しつつ、薬剤投与装置２１を斜めから入れるようにしてボトムケース８０２に装着する。ボトムケース８０２の後端部（先端保護部８８５とは反対側）に設けられたロックアーム７０８が薬剤投与装置２１の後端部に係合する。これにより、薬剤投与装置２１をボトムケース８０２に固定し、充電装置８０３ａの充電端子部と薬剤投与装置２１の端子受け部とを確実に接触させる。
【０２２７】
キャリングケース８０１はまた、図２１（ａ）に示すようにボトムケース８０２の上面に設けられたＬＥＤ８１０とボトムケース８０２の内部に設けられた充電装置８０３ａとを有する。ＬＥＤ８１０及び充電装置８０３ａは上記第１から第６実施形態と同様の構成及び機能を有する。
【０２２８】
ボトムケース８０２は更に、図２１（ｃ）に示すように、後端部が山形に形成された保護部８８４を有する。先端保護部８８５及び保護部８８４により、薬剤投与装置２１の先端部や、電源ボタン２１ｃを有する後端部が外部に露出しないように保護される。
【０２２９】
＜７．２．３  形態例３＞
図２２は、縦置きタイプのキャリングケースの一形態例を示す。図２２（ａ）は、キャリングケース９０１の上面、同（ｂ）及び（ｃ）はキャリングケース９０１の正面及び側面をそれぞれ示す。キャリングケース９０１は、薬剤投与装置２１の後端部を支持して装着するボトムケース９０２と、ボトムケース９０２上に起立するように装着された薬剤投与装置２１の本体に沿って垂直方向に延びる垂直カバー９８６とを有する。
【０２３０】
キャリングケース９０１はまた、図２２（ａ）に示すようにボトムケース９０２の上面に設けられたＬＥＤ９１０と、図２２（ｂ）に示すようにボトムケース９０２の内部に設けられた充電装置９０３ａとを有する。ＬＥＤ９１０及び充電装置９０３ａは上記第１から第６実施形態と同様の構成及び機能を有する。
【０２３１】
図２２（ｂ）に示すように、薬剤投与装置２１をボトムケース９０２にセットした時、薬剤投与装置２１の充電端子９１９と充電装置９０３ａの充電用端子９０９とが接触し、
充電可能となる。
【０２３２】
図２２（ａ）及び（ｃ）に示すように、キャリングケース９０１の垂直カバー９８６は、装着された薬剤投与装置２１の先端部をカバーする先端保護部９８３を有する。垂直カバー９８６はまた、図２２（ｃ）に示すように、製剤２４や針等を収納する備品収納部９０５を有する。
【０２３３】
＜７．２．４  形態例４＞
図２３は、縦置きタイプのキャリングケースの他の形態例を示す。図２３（ａ）は、キャリングケース１００１の上面、同（ｂ）及び（ｃ）はキャリングケース１００１の正面及び側面をそれぞれ示す。キャリングケース１００１は、上記形態例３と同様に、薬剤投与装置２１の後端部を支持して装着するボトムケース１００２と、ボトムケース１００２上に起立するように装着された薬剤投与装置２１の本体に沿って一体的に立設された垂直カバー１０８６とを有する。
【０２３４】
キャリングケース１００１はまた、図２３（ｃ）に示すようにボトムケース１００２の側面に設けられたＬＥＤ１０１０と、ボトムケース１００２の内部に設けられた充電装置１００３ａとを有する。ＬＥＤ１０１０及び充電装置１００３ａは上記第１から第６実施形態と同様の構成及び機能を有する。また、上記形態例３と同様に、薬剤投与装置２１の充電端子と充電装置１００３ａの充電用端子とが接触し、充電可能となる。
【０２３５】
図２３（ａ）及び（ｃ）に示すように、キャリングケース１００１の垂直カバー１０８６は、装着された薬剤投与装置２１の先端部をカバーする先端保護部１０８３を有する。
＜７．２．５  形態例５＞
図２４は、縦置きタイプのキャリングケースの更に他の形態例を示す。図２４（ａ）は、キャリングケース１１０１の上面、同（ｂ）及び（ｃ）はキャリングケース１１０１の正面及び側面をそれぞれ示す。キャリングケース１１０１は、薬剤投与装置２１の後端部を支持して装着するボトムケース１１０２と、薬剤投与装置２１の全体を覆うようにしてボトムケース１１０２に脱着可能に取り付けられるカバー１１２０と、を有する。カバー１１２０は、透明又は半透明の材料からなる。
【０２３６】
キャリングケース１１０１はまた、図２４（ｃ）に示すようにボトムケース１１０２の側面に設けられたＬＥＤ１１１０と、ボトムケース１１０２の内部に設けられた充電装置１１０３ａとを有する。ＬＥＤ１１１０及び充電装置１１０３ａは上記第１から第６実施形態と同様の構成及び機能を有する。また、上記形態例３と同様に、薬剤投与装置２１の充電端子と充電装置１００３ａの充電用端子とが接触し、充電可能となる。
【０２３７】
＜７．２．６  形態例６＞
図２５は、水平置きタイプのキャリングケースの他の形態例を示す。図２５（ａ）は、キャリングケース１２０１の上面、同（ｂ）及び（ｃ）はキャリングケース１２０１の横側面及び縦側面をそれぞれ示す。キャリングケース１２０１は、備品収納部を備えず、装着される薬剤投与装置２１の先端の半分程度を覆うように形成された先端保護部１２８５を備える。
【０２３８】
図２５（ｂ）に示すように、キャリングケース１２０１は、ボトムケース１２０２に薬剤投与装置２１を載置する。このとき、薬剤投与装置２１の先端部を先端保護部１２８５に挿入しつつ、薬剤投与装置２１を斜めから入れるようにしてボトムケース１２０２に装着する。ボトムケース１２０２の後端部（先端保護部１２８５とは反対側）に設けられたロックアーム１２０８が薬剤投与装置２１の後端部に係合する。これにより、薬剤投与装置２１をボトムケース１２０２に固定し、充電装置１２０３ａの充電端子部と薬剤投与装置２１の端子受け部とを確実に接触させる。
【０２３９】
キャリングケース１２０１はまた、図２５（ａ）及び（ｂ）に示すように、先端保護部１２８５に設けられたＬＥＤ１２１０と、ボトムケース１２０２の内部に設けられた充電装置１２０３ａとを有する。ＬＥＤ１２１０及び充電装置１２０３ａは上記第１から第６実施形態と同様の構成及び機能を有する。
【０２４０】
ボトムケース１２０２は更に、図２５（ｃ）に示すように、後端部が山形に形成された保護部１２８４を有する。先端保護部１２８５及び保護部１２８４により、薬剤投与装置２１の先端部や、電源ボタン２１ｃを有する後端部が外部に露出しないように保護される。
【０２４１】
＜７．２．７  形態例７＞
図２６は、水平置きタイプのキャリングケースの他の形態例を示す。図２６（ａ）は、キャリングケース１３０１の上面、同（ｂ）及び（ｃ）はキャリングケース１３０１の横側面及び縦側面をそれぞれ示す。キャリングケース１３０１は、主に、カバー１３２０が透明又は半透明の材料からなる点において、上記第１実施形態から第６実施形態のキャリングケースと異なる。図２６（ｃ）に示すように、カバー１３２０とボトムケース１３０２はヒンジ１３８７により開閉可能に連結されている。
【０２４２】
キャリングケース１３０１は、図２６（ａ）及び（ｂ）に示すように、ボトムインナーケースに設けられたＬＥＤ１３１０と、ボトムケース１３０２の内部に設けられた充電装置１３０３ａとを有する。ＬＥＤ１３１０及び充電装置１３０３ａは上記第１から第６実施形態と同様の構成及び機能を有する。ボトムインナーケースには、備品収納部１３０５、保護キャップ載置部１３２２が所定位置に設けられている。
【０２４３】
図２６（ｂ）に示すように、キャリングケース１３０１は、ボトムケース１３０２に薬剤投与装置２１を載置する。このとき、ボトムケース１３０２の両端に設けられたロックアーム１３０７、１３０８が薬剤投与装置２１の両端部に係合する。これにより、薬剤投与装置２１をボトムケース１３０２に固定し、充電装置１３０３ａの充電端子部と薬剤投与装置２１の端子受け部とを確実に接触させる。
【０２４４】
図２７は、図２６の形態例と同様の水平置きタイプのキャリングケースの他の形態例であるが、備品収納部１３０５の位置が集約させることにより、ケース全体の小型化している。
【０２４５】
図２８は、図２６の形態例と同様の水平置きタイプのキャリングケースの他の形態例であるが、カバー１３２０が透明又は半透明でないこと、カバー１３２０に確認窓１３９０が設けられていること、及び図２８（ｄ）に示すように回動可能な支持板１３８８が設けられている点において図２６の形態例とは異なる。透明又は半透明の確認窓１３９０は、薬剤投与装置２１を装着したときに同装置のＬＥＤやＬＣＤ等の表示部の位置になるように形成されている。支持板１３８８は、ボトムケース１３０２の一部を支点として回動可能に形成されている。支持板１３８８は、ある角度まで開くとストッパー（図示省略）が作用し、キャリングケース１３０１を水平面に対し所定角度傾けた状態で載置できる。これにより、キャリングケース１３０２を載置させた状態においてユーザにとって確認窓１３９０や薬剤投与装置２１のＬＥＤやＬＣＤ等の表示部が見やすくなる。
【０２４６】
＜７．２．８  形態例８＞
図２９は、水平置きタイプのキャリングケースの他の形態例を示す。図２９（ａ）は、キャリングケース１４０１の上面、同（ｂ）はキャリングケース１４０１の横側面、及び同（ｃ）はキャリングケース１４０１の縦側面を示す。キャリングケース１４０１は、カバーの代わりに、薬剤投与装置２１の先端部をカバーするように開閉自在にボトムケース１４０２に取り付けられた、透明又は半透明の材料からなる先端保護カバー１４８９を有する。
【０２４７】
図２９（ｂ）に示すように、キャリングケース１４０１に薬剤投与装置２１を装着する際は、先端保護カバー１４８９を開けて、ボトムケース１４０２に薬剤投与装置２１を載置する。このとき、図２９（ｂ）に示すように、ボトムケース１４０２に後端に設けられたロックアーム１４０８が薬剤投与装置２１の後端部に係合する。これにより、薬剤投与装置２１をボトムケース１４０２に固定し、充電装置１４０３ａの充電端子部と薬剤投与装置２１の端子受け部とを確実に接触させる。
【０２４８】
キャリングケース１４０１はまた、図２９（ａ）に示すようにボトムケース１４０２の上面に設けられたＬＥＤ１４１０とボトムケース１４０２の内部に設けられた充電装置１４０３ａとを有する。ＬＥＤ１４１０及び充電装置１４０３ａは上記第１から第６実施形態と同様の構成及び機能を有する。ボトムケース１４０２には、備品収納部１４０５が所定位置に設けられている。
【０２４９】
また、本形態例においては、図２９（ｃ）に示すように、ボトムケース１４０２に断面が三角形のくさび形底部１４９０を形成してもよい。この場合、薬剤投与装置２１がキャリングケースに収納されたとき、図２９（ｃ）に示すように、水平面に対し所定角度傾いた状態になる。これにより、キャリングケース１４０２を載置させた状態においてユーザにとって薬剤投与装置２１のＬＥＤやＬＣＤ等の表示部が見やすくなる。
【産業上の利用可能性】
【０２５０】
本発明のキャリングケースによれば、別途充電装置を携帯する必要が無く、落下や接触等による衝撃から薬剤投与装置や各種備品を保護することが可能になる。このため、特に、高齢者や身体の不自由な方が外出時に携帯するキャリングケースとして特に有用である。
【図面の簡単な説明】
【０２５１】
【図１】本発明の第１実施形態に係る注射器システムのキャリングケースを開いた状態を示す斜視図。
【図２】図１のキャリングケースにおけるボトムケースの上面視概略図。
【図３】（ａ）は、図２のボトムケースの内部断面図、（ｂ）は、同ボトムケースの要部拡大断面図。
【図４】図１に示す注射器システムのブロック図。
【図５】第１実施形態の変形例によるキャリングケースの要部側面図。
【図６】図５に示すキャリングケースを含む注射器システムのブロック図。
【図７】第１実施形態の変形例によるキャリングケースの要部側面図。
【図８】図７に示すキャリングケースを含む注射器システムのブロック図。
【図９】第１実施形態の変形例によるキャリングケースの要部側面図。
【図１０】図９に示すキャリングケースを含む注射器システムのブロック図。
【図１１】本発明の第２実施形態に係る注射器システムのキャリングケースを開いた状態を示す斜視図。
【図１２】（ａ）は図１１のキャリングケースのロックプレートの係合時の状態を示し、（ｂ）は針用の保護キャップの使用状態を示す図。
【図１３】図１１のキャリングケースが閉じられた状態のときの製剤押さえリブの断面図。
【図１４】本発明の第３実施形態に係るキャリングケースのボトムケースの平面図
【図１５】図１４のボトムケースの内部断面図。
【図１６】（ａ）から（ｃ）は、図１４のキャリングケースの２材混合部の動作を示す図。
【図１７】本発明の第４実施形態に係るキャリングケースの電気部、及び薬剤投与装置の電気部の概略構成図。
【図１８】本発明の第４及び第５実施形態に係るキャリングケースの表示部のパターンを示す図。
【図１９】本発明の第６実施形態に係る注射器システムのキャリングケースを開いた状態を示す斜視図。
【図２０】（ａ）から（ｃ）は、本発明のキャリングケースの一形態例を示す図。
【図２１】（ａ）から（ｃ）は、本発明のキャリングケースの他の形態例を示す図。
【図２２】（ａ）から（ｃ）は、本発明のキャリングケースの他の形態例を示す図。
【図２３】（ａ）から（ｃ）は、本発明のキャリングケースの他の形態例を示す図。
【図２４】（ａ）から（ｃ）は、本発明のキャリングケースの他の形態例を示す図。
【図２５】（ａ）から（ｃ）は、本発明のキャリングケースの他の形態例を示す図。
【図２６】（ａ）から（ｃ）は、本発明のキャリングケースの他の形態例を示す図。
【図２７】（ａ）から（ｃ）は、本発明のキャリングケースの他の形態例を示す図。
【図２８】（ａ）から（ｄ）は、本発明のキャリングケースの他の形態例を示す図。
【図２９】（ａ）から（ｃ）は、本発明のキャリングケースの他の形態例を示す図。
【図３０】従来のキャリングケースの側面視断面図及び上面視断面図。
【符号の説明】
【０２５２】
１        キャリングケース
２        ボトムケース（ケース部）
２ａ      支軸挿入部
２ｂ      隙間
３        ボトムインナーケース（インナーケース）
３ａ      充電装置
４        緩衝材
５        備品収納部
６        本体収納部（凹部）
７        ロックアーム（ロック機構）
８        ロックアーム（ロック機構）
９        充電端子
９ａ      充電端子スプリング（弾性部材）
１０      ＬＥＤ（光源部）
１１      プラグ
１２      ＡＣアダプタ
１３      供電回路プリント基板
１３ａ    接続部
１４      緩衝材
１５      カラー
１６      ビス
１７      充電部
１８      ビス
１９      緩衝材（第２の緩衝材）
２０      カバー（ケース部）
２０ａ    支軸保持部
２０ｂ    支軸
２０ｃ    備品押さえリブ
２０ｄ    緩衝材（第１の緩衝材）
２０ｅ    窓部
２１      薬剤投与装置
２１ｂ    メイン動作部
２２      保護キャップ載置部（備品載置部）
２３      未使用針
２４      製剤シリンジ
２５      スライドノブ（係止機構）
２６      コード
２６ａ    ＤＣプラグ
２７      一次電池
２８      ジャック（接続部）
２９      二次電池
３０      針収納部
３１      製剤収納部
３２      表示部
３３      入力部
３４      マイコン
３５      駆動部
３６      メモリ
３７      センサ
３９      端子受け部
４０      充電回路
５０      注射器システム
【図１】
0005487489.tif 000002
【図２】
0005487489.tif 000003
【図３】
0005487489.tif 000004
【図４】
0005487489.tif 000005
【図５】
0005487489.tif 000006
【図６】
0005487489.tif 000007
【図７】
0005487489.tif 000008
【図８】
0005487489.tif 000009
【図９】
0005487489.tif 000010
【図１０】
0005487489.tif 000011
【図１１】
0005487489.tif 000012
【図１２】
0005487489.tif 000013
【図１３】
0005487489.tif 000014
【図１４】
0005487489.tif 000015
【図１５】
0005487489.tif 000016
【図１６】
0005487489.tif 000017
【図１７】
0005487489.tif 000018
【図１８】
0005487489.tif 000019
【図１９】
0005487489.tif 000020
【図２０】
0005487489.tif 000021
【図２１】
0005487489.tif 000022
【図２２】
0005487489.tif 000023
【図２３】
0005487489.tif 000024
【図２４】
0005487489.tif 000025
【図２５】
0005487489.tif 000026
【図２６】
0005487489.tif 000027
【図２７】
0005487489.tif 000028
【図２８】
0005487489.tif 000029
【図２９】
0005487489.tif 000030
【図３０】
0005487489.tif 000031